(57)【要約】【課題】    本発明は日本の文化である着物が着るのに困難で、その着物を着るために用意するものも多く面倒である為、誰でも容易に着てもらえる簡単に短時間で着られる着物を提供する。【解決手段】    本発明は前身頃を分離した上前身頃２と下前身頃３、後身頃４、袖５及び襟７を有した着物本体１に長襦袢半襟８と長襦袢袖６を固定し、長襦袢半襟８の端部に固定してある半襟紐１４を背中を通して前面で結ぶことにより長襦袢半襟８の着くずれを防止し、上前身頃２の幅を下前身頃３の幅より狭くすることで襟７の開きのバランスを保ち、お端折り１１を最初から作り、タック１３を脇部に寄せることで無駄なしわを軽減し、着物本体１の背部に固定してある第一の腰紐９と衽１２上部に固定した第二の腰紐１０をそれぞれ結ぶことで着くずれを防止し、誰でも簡単に着ることが出来る。【選択図】  図１
2017082356.tif 000002
【特許請求の範囲】
【請求項１】
上前身頃と下前身頃に分離した前身頃、後身頃、袖及び襟を備えた着物本体と、前記襟に長襦袢半襟を備え、前記袖の内側に長襦袢袖を付けることで長襦袢を不要にし、前記着物本体背部に固定した第一の腰紐と、前記下前身頃の衽上部に固定した第二の腰紐を有し、前記長襦袢半襟の端部に固定した半襟紐を有することを特徴とする簡単に着られる着物。
【請求項２】
前記上前身頃は腰までの長さを有し、前記下前身頃は胸の下の位置から前記後身頃の裾丈までとし、腹部で上下前身頃が重なる部分に固定してある前記第一の腰紐と第二の腰紐をそれぞれ結ぶことで着くずれを防ぎ、且つ前記上前身頃の幅を前記下前身頃の幅より狭くすることで前記襟の開きが固定されることを特徴とする請求項１に記載の簡単に着られる着物。
【請求項３】
前記下前身頃の左側のみと前記後身頃のお端折りを固定し、前記上前身頃、前記下前身頃、前記後身頃の脇部それぞれにタックを寄せることで無駄なしわを軽減し、前記後身頃の背部に固定してある前記第一の腰紐を脇部まで固定することにより背部のしわを軽減出来ることを特徴とする請求項１又は請求項２に記載の簡単に着られる着物。
【請求項４】
前記長襦袢半襟を前記着物本体の前記襟後部のみ固定し、他を自由にすることで前記長襦袢半襟のバランスを調節出来、且つ前記長襦袢半襟端部に前記半襟紐を固定し、背中を通して前面で結ぶことで前記長襦袢半襟の着くずれを防ぎ、更に前記袖の内側に前記長襦袢袖を脱着可能にしたことを特徴とする請求項１又は請求項２又は請求項３に記載の簡単に着られる着物。
【発明の詳細な説明】
【技術分野】
【０００１】
本発明は誰でも簡単に且つ短時間で着られる一部式着物である。
【背景技術】
【０００２】
従来の着物は、着方が難しい上に付属として用意するものも多く、誰でも簡単には着ることが出来ない。現代では普段に着ることがほとんどないがゆえに、着方が解らない人がほとんどである    
【０００３】
一方、着ることが可能な人であってもお端折りを整えて着ることは相当の熟練が必要である為、それを解決する為二部式着物の提案があるが、やはり本格的な着物とは様相に違いが出ているのが否めない。またお端折りを最初から作り紐を用いて身八つ口から通す提案や、係止めを用いて簡単に着られる着物の提案があるが、着物本来の優雅さに欠けている。
【０００４】
お端折りを綺麗に整えるのが難しいことから、その解決策としての提案は多々あるが、着物の美しさには襟の抜きと開き加減、更に半襟とのバランスも重要である。たとえば、成人女性用着物に、前もって上半身に余裕を持たせた位置に  はしょり部を設け、はしょり部と身頃の間にベルトを収納したことを特徴とする着付けが簡単にできる着物がある（特許文献１参照）。また、おはしょりを形作った着物であって、左前身頃がおはしょりの    直上で左上前身頃と左下前身頃の２つの部分に分けられており、つぎの箇所を係止する手段が設けられている簡単女着物がある（特許文献２参照）。
【先行技術文献】
【特許文献】
【０００５】
【特許文献１】特開２０１０−１８９３４号公報
【特許文献２】特開２０１３−１５９８７７号公報
【発明の概要】
【発明が解決しようとする課題】
【０００６】
特許文献１は、お端折りを最初から作って簡単に着ることが出来るがバランスを考慮されていず、ただ簡単に着られるだけである。特許文献２は前身頃を上下に分離し係止の手段を設けてバランスを考慮してはいるが、係止では優雅さに欠ける。
【０００７】
本発明は、かかる事情に鑑みて、誰でも簡単に着用することが出来、古来の着物と遜色無い様相を呈した一部式着物を課題とする。
【課題を解決するための手段】
【０００８】
上前身頃と下前身頃に分離した前身頃、後身頃、袖及び襟を備えた着物本体と、前記襟に長襦袢半襟を備え、前記袖の内側に長襦袢袖を付けることで長襦袢を不要にし、前記着物本体背部に固定した第一の腰紐と、前記下前身頃の衽上部に固定した第二の腰紐を有し、前記長襦袢半襟の端部に固定した半襟紐を有することを特徴とする簡単に着られる着物とする。
【０００９】
前記上前身頃は腰までの長さを有し、前記下前身頃は胸の下の位置から前記後身頃の裾丈までとし、腹部で上下前身頃が重なる部分に固定してある前記第一の腰紐と第二の腰紐をそれぞれ結ぶことで着くずれを防ぎ、且つ前記襟の開きを固定する為に、前記上前身頃の幅を前記下前身頃の幅より狭くすることが好ましい。
【００１０】
前記下前身頃の左側のみと前記後身頃のお端折りを固定し、前記上前身頃、前記下前身頃、前記後身頃の脇部それぞれにタックを寄せることで無駄なしわを軽減し、前記後身頃の背部に固定してある前記第一の腰紐を脇部まで固定することにより背部のしわを軽減するのが好ましい。
【００１１】
前記長襦袢半襟を前記着物本体の前記襟後部のみ固定し、他を自由にすることで前記長襦袢半襟のバランスを調節出来、且つ前記長襦袢半襟端部に前記半襟紐を固定し、背中を通して前面で結ぶことで前記長襦袢半襟の着くずれを防ぎ、更に前記袖の内側に前記長襦袢袖を脱着可能にすることが好ましい。
【発明の効果】
【００１２】
上述の様に、本考案の簡単に短時間で着られる一部式着物は、半襟と襟開きのバランス、無駄なしわの軽減、上下に分離した前身頃の重なる部分に２本の腰紐で結ぶことにより着くずれが無く、古来の着物と遜色無い様相を呈した着物であり、誰でも簡単に短時間で着ることが出来る。
【図面の簡単な説明】
【００１３】
【図１】本考案の正面図である。
【図２】本考案の上前身頃のみを閉じ、下前身頃を開いた状態である。
【図３】本考案の全て開いた状態である。
【図４】本考案の背面図である。
【図５】本考案の袖、及び長襦袢袖の図である。
【発明を実施するための形態】
【００１４】
本発明は誰でも簡単に着ることが出来るのでパーティーや食事会、入学式、卒業式等に活用でき、着るのに時間がかからないという観点から、身体の不自由な方や高齢の方にもお勧めできる。また海外からの旅行客に簡単に日本の文化の着物を楽しんでもらうことが出来る。
【００１５】
本発明を実施するための形態について、添付図面を用いて説明する。まず図１は本発明の簡単に短時間で着られる一部式着物の着用した状態を示すものであり、着物本体１に長襦袢半襟８と長襦袢袖６が付き、第一の腰紐９と第二の腰紐１０で固定する。
【００１６】
本発明は前身頃を上前身頃２と下前身頃３に分け、上前身頃２は着物本体１の背部に固定してある第一の腰紐９で上半身の着くずれを防ぎ、更にその上に右下前衽１２の上部に付いている第二の腰紐１０と襟７aの上部に付いている第二の腰紐１０とを後ろで交差して前面で結び、上前身頃２を下前身頃３で押さえることで着くずれを防ぐ。
【００１７】
左下前身頃３と後身頃４のお端折り１１を縫い、無駄なしわを軽減する為に、上前身頃２、下前身頃３、後身頃４の脇部にそれぞれタック１３を寄せる。図４に示すように第一の腰紐９を着物本体１の背部に脇部まで縫うことにより背部のしわを軽減し、襟の抜きの加減も調節出来る。
【００１８】
図３に示すように長襦袢半襟８を着物本体１の襟７後部のみに固定し、その他を自由にすることで長襦袢半襟８の出方を調節出来、長襦袢半襟８の端部に半襟紐１４を付け、その半襟紐１４を背中から廻して前面で結ぶことで長襦袢半襟８を固定できる。上前身頃２の幅を下前身頃３に衽１２を足した幅より狭くすることで、長襦袢半襟８と襟７の開きのバランスを保ちながら、充分な打ち合いを確保できる。
【００１９】
長襦袢を不要とするため、着物本体１の襟７に長襦袢半襟８を固定することと、図５に示すように着物本体１の袖５の内側に長襦袢袖６を固定する。その際袖５の内側３ヶ所にマジックテープ（登録商標）１５と長襦袢袖６の外側３ヶ所にマジックテープ（登録商標）１５aを付け、脱着可能にする。
【００２０】
着付けの方法として、まず着物本体１の襟７の抜き加減を確認後、長襦袢半襟８を整え、半襟紐１３を背中から廻して前面で結ぶ。上前身頃２を被せ着物本体１の背部に縫い付けてある第一の腰紐９を前で結ぶ。その状態が図２である。下前身頃３を上前身頃２の上に被せ左右の第二の腰紐１０を後ろで交差させ、前面で結ぶ。上記の操作により着付ける。
【符号の説明】
【００２１】
１    着物本体
２    上前身頃
３    下前身頃
４    後身頃
５    袖
６    長襦袢袖
７    襟
７a   襟
８    長襦袢半襟
９    第一の腰紐
１０    第二の腰紐
１１    お端折り
１２    衽
１３    タック
１４    半襟紐
１５    マジックテープ（登録商標）
１５a   マジックテープ（登録商標）
【図１】
2017082356.tif 000003
【図２】
2017082356.tif 000004
【図３】
2017082356.tif 000005
【図４】
2017082356.tif 000006
【図５】
2017082356.tif 000007